【手続補正書】
【提出日】平成19年11月16日(2007.11.16)
【手続補正１】
【補正対象書類名】明細書
【補正対象項目名】全文
【補正方法】変更
【補正の内容】
【書類名】  明細書
【発明の名称】食器関連マーク付け販売ビジネスシステム
【特許請求の範囲】
【請求項１】
通信手段であるインターネットを用いて、食器類の品名と、該食器類に刻印又は印刷又は書き込みを記載可能な位置と範囲を明示し、前記明示した記載可能な位置と範囲に希望記載事項を記載させてインターネットを介して注文を受け、前記注文に応じて注文食器類に希望記載事項を刻印又は印刷又は書き込みを実施して販売することを特徴とする食器関連マーク付け販売ビジネスシステム。
【請求項２】
通信手段であるファクシミリを用いて、食器類の品名と、該食器類に刻印又は印刷又は書き込みを記載可能な位置と範囲を明示し、前記明示した記載可能な位置と範囲に希望記載事項を記載させてファクシミリを介して注文を受け、前記注文に応じて注文食器類に希望記載事項を刻印又は印刷又は書き込みを実施して販売することを特徴とする食器関連マーク付け販売ビジネスシステム。
【発明の詳細な説明】
【０００１】
【発明の属する技術分野】
本発明は、飲食店やホテル、社員食堂等のカトラリー、食器類にその所有者の希望記載事項である名称等の文字、トレードマーク、絵柄を刻印、印刷、書き込みするサービスで、その所有者である飲食店等の他店との差別化、ステータスの向上、所有者表示による所有者確認、盗難防止に役立てるもので、これらのサービスを情報通信手段であるインターネット又はファクシミリを使用することにより、安価で短納期で注文側のイメージにあった的確なサービスをすることにより、多くの需要の拡大を目指すことができる食器関連マーク付け販売ビジネスシステムに関するものである。
【０００２】
【従来の技術】
従来、食器類に刻印、印刷、書き込みされたものはメーカー名や、メーカー商品名であり、飲食店やホテル、旅館等で使用される食器類は特別に注文しなければならず、時間と費用が膨大にかかった。また、数量がまとまらないと対応するメーカーがなかったため、補充のために余分に作成して備えなければならず、コストも増大した。また、注文者と製作者のイメージのミスマッチからトラブルが発生しやすかった。
【０００３】
【発明が解決しようとする課題】
従来、少数の食器類に顧客の要望の記載事項を刻印、印刷、書き込みするのには、顧客とのイメージの違いによるトラブルを解消するために、顧客の要望をできるだけ取り入れ、正確さを期すために試作を繰り返したり、サンプルを送ったり多くの時間と工数がかかり、製造側も顧客側も時間とコストが折り合わないケースが多かった。
【０００４】
【課題を解決するための手段】
前記問題点を解消するために、通信手段であるインターネット、又は、通信手段であるファクシミリを用いて、食器類の品名と、食器類に刻印又は印刷又は書き込みを記載可能な位置と範囲を明示し、明示した記載可能な位置と範囲に希望記載事項を記載させてインターネット又はファクシミリを介して注文を受け、注文に応じて注文食器類に希望記載事項を刻印又は印刷又は書き込みを実施して販売するものである。
【０００５】
【発明の実施の形態】
本発明は、飲食店やホテル、社員食堂等のカトラリー、食器類にその所有者の希望記載事項である名称等の文字、トレードマーク、絵柄を刻印、印刷、書き込みするサービスで、その所有者である飲食店等の他店との差別化、ステータスの向上、所有者表示による所有者確認、盗難防止に役立てるもので、これらのサービスを情報通信手段であるインターネット又はファクシミリを使用することにより、安価で短納期で注文側のイメージにあった的確なサービスをすることにより、多くの需要の拡大を目指すことができる食器関連マーク付け販売ビジネスシステムに関するものであり、請求項１に記載の食器関連マーク付け販売ビジネスシステムは、通信手段であるインターネットを用いて、食器類の品名と、該食器類に刻印又は印刷又は書き込みを記載可能な位置と範囲を明示し、前記明示した記載可能な位置と範囲に希望記載事項を記載させてインターネットを介して注文を受け、前記注文に応じて注文食器類に希望記載事項を刻印又は印刷又は書き込みを実施して販売することを特徴とするものである。
【０００６】
更に、請求項２に記載の食器関連マーク付け販売ビジネスシステムは、通信手段であるファクシミリを用いて、食器類の品名と、該食器類に刻印又は印刷又は書き込みを記載可能な位置と範囲を明示し、前記明示した記載可能な位置と範囲に希望記載事項を記載させてファクシミリを介して注文を受け、前記注文に応じて注文食器類に希望記載事項を刻印又は印刷又は書き込みを実施して販売するものである。
【０００７】
即ち、本発明の食器関連マーク付け販売ビジネスシステムは、インターネット又はファクシミリの情報通信手段を用いるものであり、顧客は、最適と思われる食器類と、刻印、印刷、書き込み等の追加記載する手段を用いて希望記載事項の名称、マーク、絵柄等とマッチする食器類を選び出して数量を指定すると共に、顧客の希望記載事項をインターネット又はファクシミリの情報通信手段を用いて送付する。
【０００８】
一方、受注者は送付された希望記載事項に基づいて商品を作成するもので、希望記載事項は、スキャナー、デジタルカメラ等により取得した画像データを使用したり、標準文字による名称等はインターネット上で食器類へ名称、マーク、絵柄等を記載する位置、範囲へ直接入力する手段を備えても良い。また、別途清刷、写真等を送付しても良い。また、マーク、絵柄等の画像データ及び標準文字は表示された食器類に拡大縮小や、変形、変色等を行い貼付け確認できる表示としても良い。
【０００９】
また、インターネットを用いた場合、食器類に希望記載事項である名称、マーク、絵柄等を記載後のイメージがインターネット上の画面で確認できる。また、商品に名称、マーク、絵柄等を貼付けた状態で３次元表示を行うことにより、更に正確なイメージの確認ができ、加えて、背景や、湯飲みに対して急須と盆といった他の器材との合成をしても良い。また、注文数量を入力することにより、値引き等を含めた合計金額を表示することができるものである。
【００１０】
そして、パソコン端末等を用いる場合は画面上で、又、ファクシミリを用いる場合は紙面上で、それぞれの顧客が自らデザインした希望記載事項を付した製品の完成品のイメージを確認して、納得できるものを注文することにより、製造者側もトラブルから解消され、短期間に安価な食器類の提供ができるものである。
【００１１】
また、パソコン端末の画面上で食器類へ希望記載事項である名称等の文字、トレードマーク、絵柄を記載する位置と範囲を示し、希望記載事項の画像データを希望記載事項を記載する位置のその範囲内に貼り付け、範囲内で拡大縮小、変形を可能とするものである。
【００１２】
さらに、食器類と貼付けマーク等が３次元で表現され、より現物に近い状態で各種の方向から見ることができ、また、陰影や背景、他との組み合わせ機能を有しても良い。
【００１３】
【実施例】
以下、本発明の食器関連マーク付け販売ビジネスシステムの実施例について、図面を用いて説明すると、図１に図示するものは、本発明に係るインターネット上での販売用画像の実施例であり、図２に図示するものは、本発明に係るインターネット上での販売用画像のマーク入力の実施例である。
【００１４】
先ず、図１、２を用いた商品の注文方法の一実施例であり、図１に示すように、商品一覧１にある分類から欲しい商品を選び、商品一覧１のカトラリーからスプーンを選ぶと注文図にスプーン見本２が表示されるものである。
【００１５】
次に、図２に示すように、刻印又は印刷又は書き込みの記載部３にスプーン２に記載したいマークを貼り付けると共に、画像の拡大縮小４等の調整を行い、スプーン２の画像からイメージを確認する。
【００１６】
次いで、イメージ通りの商品が表示されたら、購入数量を数量入力欄６に入力することにより、値引き等を含めた金額が合計金額出力欄７に出力される。
【００１７】
そして、ファクシミリを用いた場合は、ファクシミリ用紙に食器類を表示し、食器類には希望記載事項である名称、マーク、絵柄を記載できる位置と寸法を表示しているものである。
【００１８】
また、希望記載事項である名称、マーク、絵柄等を拡大縮小、変形し、貼付してイメージ確認することも可能であり、このイメージを注文データとして送付することも可能である。
【００１９】
また、ファクシミリ用紙には商品の注文数量から値引き金額を含めた合計金額が算出される表やフロー等を示していても良い。
【００２０】
更に、希望記載事項である名称、マーク、絵柄を記載する前の食器類は、希望記載事項を記載する箇所のみを残して製作しておき、注文が発生したときに、注文として送付されてきた画像データ、清刷、写真等、または、ファクシミリ用紙に記載された画像データ、清刷、写真等を元に型や版等を作成して食器類に刻印又は印刷又は書き込みを実施するものである。
【００２１】
そして、食器類に希望記載事項である名称、マーク、絵柄等を記載するまでの例として、陶器類に印刷を行う場合について、陶器類は全て焼き上げた状態でストックして注文後に記載部を印刷したり、陶器本体よりも低い温度で焼ける絵の具材で印刷、または、記載部に書き込み後再度焼き上げるか、或いは、素焼きに絵を書いた状態でストックしておき、記載部に書き込み後に上薬を塗布して焼き上げる等の方法がある。
【００２２】
更に、金属食器やカトラリーについては、一般に刻印や腐食を使って記載部に書き込んでいる。先に記載部を残してストック分を製作して、注文発生後に刻印、腐食を施す。刻印の場合は、再度周辺を研磨する必要が発生することもある。
【００２３】
更には、商品を前もって記載部を除いた半完成品をストックしておくことにより、納期短縮が計れると共に、商品製作の途中までの工程が一括して量産化でき、コストを下げることができる。
【００２４】
また、メーカー名やマーク、品質表示を前もって製品に記載しておき、記載部を後から追加する方式でも良い。例えば、スプーンの裏側にメーカー名、品質表示、表側に顧客のマークを刻印する。さらに、刻印、腐食、印刷等にたよらず、レーザーや彫刻機による名称、マーク、絵柄等の記載や、インクジェットプリンター等を使用しても良く、インターネット、ファクシミリの情報通信手段で得た希望記載事項のデータをそのままコンピュータ処理する自動機械を用いても良い。
【００２５】
【発明の効果】
自社マーク等を記載したイメージ通りの食器類が安価に、短い納期で入手することができる。ホテル、飲食店、旅館等では自社マークを商品に入れることで、他店との差別化、ステータスの向上が計れる。また、自社マークを記載したため、盗難の防止や商品判別にも役立つものである。
【００２６】
【図面の簡単な説明】
【図１】本発明に係るインターネット上での販売用画像の実施例である。
【図２】本発明に係るインターネット上での販売用画像のマーク入力の実施例である。
【符号の説明】
１…商品一覧
２…スプーン見本
３…希望記載事項の記載部
４…画像の拡大縮小
５…商品単価
６…数量入力欄
７…合計金額出力欄